(57)【要約】      （修正有）【課題】安全性を向上できる上衣を提供する。【解決手段】上衣は、フード本体２と上衣本体３とを備えたものであって、フード本体２内部に挿通された第１絞り長尺体４ａ及び第２絞り長尺体と、上衣本体３の左前身頃に設けられ、第１絞り長尺体４ａの一端を収納し開閉可能な第１収納部５ａと、上衣本体３の右前身頃に設けられ、第２絞り長尺体の一端を収納し開閉可能な第２収納部とを有する。【選択図】図２
0003174683.tif 000002
【実用新案登録請求の範囲】
【請求項１】
フード本体と上衣本体とを備えた上衣であって、
前記フード本体内部に挿通された第１絞り長尺体及び第２絞り長尺体と、
前記上衣本体の左前身頃に設けられ、前記第１絞り長尺体の一端を収納し開閉可能な第１収納部と、
前記上衣本体の右前身頃に設けられ、前記第２絞り長尺体の一端を収納し開閉可能な第２収納部と、を有することを特徴とする上衣。
【請求項２】
前記フード本体は顔面開口部を有し、
前記第１絞り長尺体は前記顔面開口部の左周縁部に沿って前記フード本体内部に挿通され、前記第２絞り長尺体は前記顔面開口部の右周縁部に沿って前記フード本体内部に挿通されている請求項１に記載の上衣。
【請求項３】
前記第１絞り長尺体は、前記左周縁部に固定される第１左上端部と、前記フード本体の後頭部に固定される第２左上端部とを有し、
前記第２絞り長尺体は、前記右周縁部に固定される第１右上端部と、前記フード本体の後頭部に固定される第２右上端部とを有している請求項２に記載の上衣。
【請求項４】
立ち襟部と上衣本体とを備えた上衣であって、
前記立ち襟部内に挿通された第１絞り長尺体及び第２絞り長尺体と、
前記上衣本体の左前身頃に設けられ、前記第１絞り長尺体の一端を収納し開閉可能な第１収納部と、
前記上衣本体の右前身頃に設けられ、前記第２絞り長尺体の一端を収納し開閉可能な第２収納部と、を有することを特徴とする上衣。
【請求項５】
前記立ち襟部は左立ち襟部と右立ち襟部とを有し、
前記第１絞り長尺体は前記左立ち襟部内部に挿通され、前記第２絞り長尺体は前記右立ち襟部内部に挿通されている請求項４に記載の上衣。
【請求項６】
前記第１収納部は第１左ファスナーにより開閉可能であり、前記第２収納部は第１右ファスナーにより開閉可能である請求項１〜５のいずれか１項に記載の上衣。
【請求項７】
前記第１収納部内の生地及び前記第２収納部内の生地には通気孔が設けられている請求項１〜６のいずれか１項に記載の上衣。
【請求項８】
前記上衣本体の左前身頃に第２左ファスナーにより開閉可能な第１ポケットが設けられ、前記上衣本体の右前身頃に第２右ファスナーにより開閉可能な第２ポケットが設けられており、
前記第２左ファスナーは前記第１左ファスナーの下端部から連続的に形成され、前記第２右ファスナーは前記第１右ファスナーの下端部から連続的に形成されている請求項６又は７に記載の上衣。
【考案の詳細な説明】
【技術分野】
【０００１】
本考案は、防寒服等のように、フードや立ち襟部を有する上衣に関するものである。
【背景技術】
【０００２】
従来、レインコートや防寒服等の衣服には着脱可能なフードが取り付けられることがある。フードに通した紐の長さを調整することによって顔面とフードとの隙間をなくして、フード内面を顔面に密着させることができ、フード内への雨雪や風等の浸入を防止できるようになっている。
【０００３】
例えば特許文献１には、顔出し用開口を絞るために開口縁部に沿って絞り紐が挿通され、開口縁部上方位置には前方に向けてひさし部が突設されているフードにおいて、開口縁部のうち少なくともひさし部の領域には保形用部材が連続的に設けられ、絞り紐を絞ることによってひさし部が絞り紐の挿通位置を支点にして上方に迫り上がるように構成されているフードが開示されている。
【０００４】
上記フードを絞るための絞り紐は顔出し用開口部周辺と後頭部にかけて配置され、左右に配された絞り紐を各々引っ張ることでフードの開口部を絞り、該フードを顔及び頭部にフィットさせる構成となっている。
【先行技術文献】
【特許文献】
【０００５】
【特許文献１】特開２００３−２７３２０号公報
【考案の概要】
【考案が解決しようとする課題】
【０００６】
しかしながら、上記従来のフードにおいては、絞り紐を引っ張ることで絞られた長さの分だけ該絞り紐がフード表面から飛び出すため、この飛び出した絞り紐が自由に動き回ることで木の枝等の障害物に引っかかったりする虞があり、安全性には改良の余地がある。
【０００７】
本考案は上記のような従来の事情を鑑みてなされたものであり、本考案の目的は、安全性を向上できる上衣を提供することである。
【課題を解決するための手段】
【０００８】
本考案に係る上衣は、フード本体と上衣本体とを備えたものであって、
前記フード本体内部に挿通された第１絞り長尺体及び第２絞り長尺体と、
前記上衣本体の左前身頃に設けられ、前記第１絞り長尺体の一端を収納し開閉可能な第１収納部と、
前記上衣本体の右前身頃に設けられ、前記第２絞り長尺体の一端を収納し開閉可能な第２収納部と、を有することを要旨とする。
【０００９】
上記の上衣には、長袖型上衣であるジャケット、半袖型のもの、ノースリーブ型上衣であるベスト、及び七分丈のもの等が含まれる。
【００１０】
本考案において、前記フード本体は顔面開口部を有し、前記第１絞り長尺体は前記顔面開口部の左周縁部に沿って前記フード本体内部に挿通され、前記第２絞り長尺体は前記顔面開口部の右周縁部に沿って前記フード本体内部に挿通されていることが好ましい。
【００１１】
本考案において、前記第１絞り長尺体は、前記左周縁部に固定される第１左上端部と、前記フード本体の後頭部に固定される第２左上端部とを有し、前記第２絞り長尺体は、前記右周縁部に固定される第１右上端部と、前記フード本体の後頭部に固定される第２右上端部とを有していることが好ましい。
【００１２】
本考案に係る立ち襟部と上衣本体とを備えた上衣であって、
前記立ち襟部内に挿通された第１絞り長尺体及び第２絞り長尺体と、
前記上衣本体の左前身頃に設けられ、前記第１絞り長尺体の一端を収納し開閉可能な第１収納部と、
前記上衣本体の右前身頃に設けられ、前記第２絞り長尺体の一端を収納し開閉可能な第２収納部と、を有することを要旨とする。
【００１３】
本考案において、前記立ち襟部は左立ち襟部と右立ち襟部とを有し、前記第１絞り長尺体は前記左立ち襟部内部に挿通され、前記第２絞り長尺体は前記右立ち襟部内部に挿通されていることが好ましい。
【００１４】
本考案において、前記第１収納部は第１左ファスナーにより開閉可能であり、前記第２収納部は第１右ファスナーにより開閉可能であることが好ましい。
【００１５】
本考案において、前記第１収納部内の生地及び前記第２収納部内の生地には通気孔が設けられていることが好ましい。
【００１６】
本考案において、前記上衣本体の左前身頃に第２左ファスナーにより開閉可能な第１ポケットが設けられ、前記上衣本体の右前身頃に第２右ファスナーにより開閉可能な第２ポケットが設けられており、前記第２左ファスナーは前記第１左ファスナーの下端部から連続的に形成され、前記第２右ファスナーは前記第１右ファスナーの下端部から連続的に形成されていてもよい。
【考案の効果】
【００１７】
本考案に係る上衣によれば、第１絞り長尺体の一端と第２絞り長尺体の一端をそれぞれ第１収納部と第２収納部に収納することができるので、第１絞り長尺体及び第２絞り長尺体がフード本体表面又は立ち襟部表面から飛び出すことがなく、障害物等に引っ掛かったり、当該引っ掛かりにより襟元が吊られてしまう虞がない。したがって、本考案の上衣は安全性に優れている。また、第１絞り長尺体の一端と第２絞り長尺体の一端をそれぞれ第１収納部と第２収納部に収納することで、これらがフード本体表面又は立ち襟部表面から飛び出していることによって上衣の見栄えを損なうこともない。
【図面の簡単な説明】
【００１８】
【図１】本考案の第１実施形態に係る上衣の全体構成を示す正面図である。
【図２】図１のフード本体の側面拡大図である。
【図３】図１のフード本体の正面拡大図である。
【図４】本考案の第２実施形態に係る上衣の全体構成を示す正面図である。
【図５】図４の立ち襟部の側面拡大図である。
【図６】図４の立ち襟部の正面拡大図である。
【考案を実施するための形態】
【００１９】
以下、図面に示した実施の形態に基づいて本考案を詳細に説明する。なお、以下の実施形態では、上衣として、長袖型上衣であるジャケットを例に挙げて説明するが、本考案は半袖型の上衣、ノースリーブ型上衣であるベスト、及び七分丈等の上衣にも勿論適用可能である。
【００２０】
１．第１実施形態
図１は本考案の第１実施形態に係る上衣の全体構成を示す正面図であり、図２は図１のフード本体の側面拡大図であり、図３は図１のフード本体の正面拡大図である。なお、図１〜図３及び後述の図４〜図６では、上衣の例として防寒服（ダウンジャケット）を挙げて説明するが、本考案を適用できる上衣の他の例として、レインジャケット等が挙げられる。
【００２１】
図１において、本考案に係る上衣１は、顔面を露出する顔面開口部２ａを有するフード本体２と上衣本体３を主に備えている。フード本体２の内部に、該フード本体２を絞るための第１絞り長尺体４ａ（後述）及び第２絞り長尺体４ｂ（後述）が挿通されている。詳細については図２，３を用いて説明する。
【００２２】
上衣本体３の左前身頃の上部には、後述の第１絞り長尺体４ａの一端を収納し、第１左ファスナー６ａにより開閉可能な第１収納部５ａが設けられている。同様に、上衣本体３の右前身頃の上部には、後述の第２絞り長尺体４ｂの一端を収納し、第１右ファスナー６ｂにより開閉可能な第２収納部５ｂが設けられている。
【００２３】
本考案に係る上衣１によれば、第１絞り長尺体４ａの一端と第２絞り長尺体４ｂの一端をそれぞれ第１収納部５ａと第２収納部５ｂに収納することができるので、第１絞り長尺体４ａ及び第２絞り長尺体４ｂがフード本体２表面から飛び出すことがなく、木の枝等の障害物に引っ掛かったり、当該引っ掛かりにより襟元が吊られてしまう虞がない。したがって、本考案の上衣１は安全性に優れている。また、第１絞り長尺体４ａと第２絞り長尺体４ｂがフード本体２表面から飛び出さないため、上衣１の見栄えを損なうこともない。さらに、第１左ファスナー６ａ及び第１右ファスナー６ｂによって、それぞれ第１収納部５ａ及び第２収納部５ｂを開閉し易くなっている。
【００２４】
上衣本体３の左前身頃の下部には、第２左ファスナー８ａにより開閉可能な第１ポケット７ａが設けられている。同様に、上衣本体３の右前身頃の下部には、第２右ファスナー８ｂにより開閉可能な第２ポケット７ｂが設けられている。
【００２５】
第２左ファスナー８ａを第１左ファスナー６ａの下端部から連続的に形成することで、一つのライン（模様）を形成することができ、一体感のあるデザイン性を表現することができる。同様に、第２右ファスナー８ｂを第１右ファスナー６ｂの下端部から連続的に形成することで、一つのライン（模様）を形成することができ、一体感のあるデザイン性を表現することができる。
【００２６】
第１左ファスナー６ａは襟元から左前身頃にかけて配置することができ、第１右ファスナー６ｂは襟元から右前身頃にかけて配置することができる。
【００２７】
なお図１では、上衣本体３の左前身頃の第１左ファスナー６ａは開いた状態で図示されており、右前身頃の第１右ファスナー６ｂは閉じた状態で図示されている。
【００２８】
第１収納部５ａ内の生地には、該生地をパンチングすることやメッシュ素材を使用すること等により通気孔Ｋを設けることができ、ベンチレーション効果（通気効果）を奏するようになっている。なお、第２収納部５ｂ内の生地にも通気孔（図示せず）が設けられている。
【００２９】
次に、図２において、紐やテープ等で構成できる第１絞り長尺体４ａが顔面開口部２ａの左周縁部に沿って、フード本体２内部に設けられた通し部９ａに挿通されている。そして、この第１絞り長尺体４ａは、穴かがり２０ａを通って第１収納部５ａ内に設けられた引き手１１ａを介して折り返されて、再び穴かがり２０ａを通ってフード本体２の後頭部２ｂに向かって、該フード本体２内部に設けられた通し部１０ａに挿通されている。なお、第１絞り長尺体４ａの上記折り返し点（引き手１１ａが付けられた部分）が第１絞り長尺体の一端に相当する。
【００３０】
同様に、図３において、紐やテープ等で構成できる第２絞り長尺体４ｂが顔面開口部２ａの右周縁部に沿って、フード本体２内部に設けられた通し部９ｂに挿通されている。そして、この第２絞り長尺体４ｂは、穴かがり２０ｂを通って第２収納部５ｂ内に設けられた引き手１１ｂを介して折り返されて、再び穴かがり２０ｂを通って後頭部２ｂに向かって、該フード本体２内部に設けられた通し部１０ｂに挿通されている。なお、第２絞り長尺体４ｂの上記折り返し点（引き手１１ｂが付けられた部分）が第２絞り長尺体の一端に相当する。
【００３１】
このように、第１絞り長尺体４ａを顔面開口部２ａの左周縁部に沿って挿通し、第２絞り長尺体４ｂを顔面開口部２ａの右周縁部に沿って挿通することで、第１絞り長尺体４ａと第２絞り長尺体４ｂを絞る際に、フード本体２を顔面の周囲にフィットさせ易くなる。
【００３２】
また、通し部９ａに挿通された第１絞り長尺体４ａの第１左上端部１２ａは、テープ１３ａにより通し部９ａに固定することができ、通し部１０ａに挿通された第１絞り長尺体４ａの第２左上端部１４ａは、テープ１５ａにより通し部１０ａに固定することができる。なお、第１絞り長尺体４ａの、通し部９ａに挿通された途中部分をテープ１８ａで固定し、通し部１０ａに挿通された途中部分をテープ１９ａで固定することもできる。
【００３３】
同様に、通し部９ｂに挿通された第２絞り長尺体４ｂの第１右上端部１２ｂは、テープ１３ｂにより通し部９ｂに固定することができ、通し部１０ｂに挿通された第２絞り長尺体４ｂの第２右上端部１４ｂは、テープ１５ｂにより通し部１０ｂに固定することができる。なお、第２絞り長尺体４ｂの、通し部９ｂに挿通された途中部分をテープ１８ｂで固定し、通し部１０ｂに挿通された途中部分をテープ１９ｂで固定することもできる。
【００３４】
このように、第１絞り長尺体４ａの第１左上端部１２ａをフード本体２の左周縁部に固定し、その第２左上端部１４ａをフード本体２の後頭部２ｂに固定すると共に、第２絞り長尺体４ｂの第１右上端部１２ｂをフード本体２の右周縁部に固定し、その第２右上端部１４ｂを後頭部２ｂに固定することで、第１絞り長尺体４ａと第２絞り長尺体４ｂを絞る際に、フード本体２を顔面の周囲及び後頭部に容易にフィットさせることができる。
【００３５】
引き手１１ａの上方には、第１絞り長尺体４ａの絞りを止めるストッパ１６ａを設けることができる。なお、このストッパ１６ａにはテープ１７ａの一端が固定されており、該テープ１７ａの他端は第１収納部５ａ内に固定されている。同様に、引き手１１ｂの上方には、第２絞り長尺体４ｂの絞りを止めるストッパ１６ｂを設けることができる。なお、このストッパ１６ｂにはテープ１７ｂの一端が固定されており、該テープ１７ｂの他端は第２収納部５ｂ内に固定されている。
【００３６】
なお、上記実施形態では、第１収納部５ａと第２収納部５ｂの開閉をそれぞれ第１左ファスナー６ａと第１右ファスナー６ｂで行えるように構成したが、これに限定されるものではなく、これらのファスナーに代えて、例えば面ファスナー（マジックテープ（登録商標））等を用いてもよい。
【００３７】
２．第２実施形態
図４は本考案の第２実施形態に係る上衣の全体構成を示す正面図であり、図５は図４の立ち襟部の側面拡大図であり、図６は図４の立ち襟部の正面拡大図である。なお、図４〜６において上記図１〜３と同一部材には同一符号を付しており、その説明を省略する。
【００３８】
図４に示すように、第２実施形態に係る上衣１ａの構成が第１実施形態に係る上衣１の構成と異なる点は、フード本体２が設けられる代わりに、後述の左立ち襟部３０ａ及び右立ち襟部３０ｂを有する立ち襟部３ａが設けられる点である。
【００３９】
図５において、紐やテープ等で構成できる第１絞り長尺体２５ａが左立ち襟部３０ａの内部上方に挿通されてテープ２７ａで固定されている。そして、この第１絞り長尺体２５ａは、穴かがり２６ａを通って第１収納部５ａ内に設けられた引き手１１ａを介し折り返されて、再び穴かがり２６ａを通って左立ち襟部３０ａの内部下方に挿通されてテープ２８ａで固定されている。なお、第１絞り長尺体２５ａの上記折り返し点（引き手１１ａが付けられた部分）が該第１絞り長尺体の一端に相当する。
【００４０】
同様に、図６において、紐やテープ等で構成できる第２絞り長尺体２５ｂが右立ち襟部３０ｂの内部上方に挿通されてテープ２７ｂで固定されている。そして、この第２絞り長尺体２５ｂは、穴かがり２６ｂを通って第２収納部５ｂ内に設けられた引き手１１ｂを介し折り返されて、再び穴かがり２６ｂを通って右立ち襟部３０ｂの内部下方に挿通されてテープ２８ｂで固定されている。なお、第２絞り長尺体２５ｂの上記折り返し点（引き手１１ｂが付けられた部分）が該第２絞り長尺体の一端に相当する。
【００４１】
第１絞り長尺体２５ａを左立ち襟部３０ａの内部上方及び内部下方に挿通し、第２絞り長尺体２５ｂを右立ち襟部３０ｂの内部上方及び内部下方に挿通することで、第１絞り長尺体２５ａと第２絞り長尺体２５ｂを絞る際に、左立ち襟部３０ａ及び右立ち襟部３０ｂを首にフィットさせ易くなる。
【００４２】
本考案に係る上衣１ａによれば、第１絞り長尺体２５ａの一端と第２絞り長尺体２５ｂの一端をそれぞれ第１収納部５ａと第２収納部５ｂに収納することができるので、第１絞り長尺体２５ａ及び第２絞り長尺体２５ｂがそれぞれ左立ち襟部３０ａ及び右立ち襟部３０ｂ表面から飛び出すことがなく、木の枝等の障害物に引っ掛かったり、当該引っ掛かりにより襟元が吊られてしまう虞がない。したがって、本考案の上衣１ａは安全性に優れている。また、第１絞り長尺体２５ａと第２絞り長尺体２５ｂが立ち襟部表面から飛び出さないため、上衣１ａの見栄えを損なうこともない。
【００４３】
以上が本考案を実施するための形態であるが、本考案はもとより上記実施形態によって制限を受けるものではなく、本考案の趣旨に適合し得る範囲で適当に変更を加えて実施することも勿論可能であり、それらはいずれも本考案の技術的範囲に包含される。
【符号の説明】
【００４４】
１，１ａ  上衣
２  フード本体
２ａ  顔面開口部
２ｂ  後頭部
３  上衣本体
３ａ  立ち襟部
４ａ，２５ａ  第１絞り長尺体
４ｂ，２５ｂ  第２絞り長尺体
５ａ  第１収納部
５ｂ  第２収納部
６ａ  第１左ファスナー
６ｂ  第１右ファスナー
７ａ  第１ポケット
７ｂ  第２ポケット
８ａ  第２左ファスナー
８ｂ  第２右ファスナー
１１ａ，１１ｂ  引き手
１２ａ  第１左上端部
１２ｂ  第１右上端部
１４ａ  第２左上端部
１４ｂ  第２右上端部
３０ａ  左立ち襟部
３０ｂ  右立ち襟部
Ｋ  通気孔
【図１】
0003174683.tif 000003
【図２】
0003174683.tif 000004
【図３】
0003174683.tif 000005
【図４】
0003174683.tif 000006
【図５】
0003174683.tif 000007
【図６】
0003174683.tif 000008